(57)【要約】  本発明は、ルーペの機能と筆記具としての機能を兼ね備えた筆記具付き携帯ルーペを提供することを目的とする。  筆記具付き携帯ルーペは、本体軸（１７）と前記本体軸（１７）内に収納されたルーペ（５）と前記本体軸（１７）の外周部を覆うように設けられたカバー筒（９）からなるルーペ部（１）と、ペン芯を備えたペン部（３）とをそれぞれ備え、前記ルーペ部（１）とペン部（３）とを着脱自在に連結し、両者を相対回転させることにより先端チップ（１１ｂ）を進退可能としている。前記ルーペ（５）はキャップクリップ（７）とカバー筒（９）とを相対回転させることにより窓部（１０）の開閉が可能であり、ルーペの不使用時にはカバー筒により保護可能としてある。ルーペ部（１）の先端部に設けてある連結筒部がペン部（３）の先筒（１３）に内蔵するペン芯ホルダと係合してペン芯進退機構を駆動することにより先端チップ（１１ｂ）を出没可能としている。【特許請求の範囲】
【請求項１】
筒状体にルーペを内蔵しているルーペ部（１）と、上記ルーペ部の一端部に上記ルーペ部を延長するように連結してあるペン部（３）とからなり、
上記ルーペ部と上記ペン部とは着脱自在であるとともに相対回転により上記ペン部内のペン芯（１１）を進退可能としてある
ことを特徴とする筆記具付き携帯ルーペ。
【請求項２】
上記ルーペ部（１）の外周には接眼側から上記ルーペを介して対物側に位置する物体を透視可能な窓部（１０）が設けてあり、
上記ルーペ部をなす本体軸（１７）の一端部には、上記ペン部との連結を可能にする連結筒部（１７ｂ）が設けてあり、上記本体軸の他端部には胸ポケット等へ保持可能とするキャップクリップ（７）が取り付けてあり、
上記ペン部には上記ペン芯を保持可能かつ進退可能とする芯ホルダ（１９）を内蔵しており、
上記ペン部は上記芯ホルダを介して上記連結筒部に着脱自在に連結してあり、
上記芯ホルダに具備するペン芯進退機構（Ｍ）は上記ルーペ部と上記ペン部との相対回転によって上記ペン芯を連動可能としてある
ことを特徴とする請求項１に記載した筆記具付き携帯ルーペ。
【請求項３】
上記ペン芯進退機構（Ｍ）は上記芯ホルダ（１９）をなす固定部材（１９ｂ）が上記ペン部をなす先筒（１３）に固定され、上記芯ホルダをなす可動部材（１９ｄ）の外周部が上記連結筒部（１７ｂ）の内周部と係合することにより上記ルーペ部と上記ペン部との相対回転を可能としてあることを特徴とする請求項２に記載した筆記具付き携帯ルーペ。
【発明の詳細な説明】
【技術分野】
【０００１】
本発明はペン型の携帯用ルーペにボールペン等の筆記具を結合してなる筆記具付きルーペに関するものである。
【背景技術】
【０００２】
仕事や買い物など外出先で細かい文字等を視力によって識別する場合には、中・高齢者の大部分の人たちは老眼鏡又は拡大鏡（以下「ルーペ」という）を使用する必要に迫られることが多い。しかしながら通常用いられている老眼鏡やルーペは、形状や大きさの面から携帯に不便であることから結局裸眼で識別しなければならないことが多い。これに対しては図１１に示すような万年筆に似たいわゆるペン型ルーペが市販されている。このペン型ルーペ７１は軸部にルーペ７３を内蔵しており、軸部の一端部にはキャップクリップ７５が取り付けてある。外出時には万年筆等の筆記具と同様にキャップクリップ７５を用いて胸ポケット等に差し込んで携帯すればよい。このペン型ルーペを使用する際にはキャップクリップ７５と外ケース７７とを相対回転させることにより窓部７９を開閉操作してルーペを使用可能状態にして両目で目標物を正確に識別可能となっている。一方万年筆を初めとする各種の筆記具は、胸ポケット等に差し込んで携帯に便利なものとしたものが古くから広く採用されていることは周知の通りである。最近では特にボールペンやシャープペンシルの普及は著しくこれに各種の機能を付加したものが多数提案されている。例えばボールペンの軸部の約半分を物入れとしての機能を有するようにしたもの（特許文献１）や、ボールペンのキャップにカッターを設け、さらにそのカッターを第２のキャップで覆うようにしたもの（特許文献２）等多数が提案されている。【０００３】
【特許文献１】実開平０５−０１８８６号公報
【特許文献１】実開平０５−０４１８８４号公報
【発明の開示】
【発明が解決しようとする課題】
【０００４】
上記のペン型ルーペは、普通の万年筆等の筆記具と同様に胸ポケット等に差し込んで携帯することを予定しているものである。しかしながら、筆記具を必要とする場合が多いことからルーペと筆記具を同時に胸ポケットに差し込んで携帯する必要が生じることもある。胸ポケットに同時に２本のペン等を指すことに対しては外見上気にする人もいる上に胸ポケットの負担を重くしているという難点もある。このような問題に対してはペン型ルーペと筆記具とを１本にまとめてしまえば問題は解決するのであるが、全体の長さが長くなってしまうことから胸ポケットに差し込むのに適さない欠点がある。また、ルーペとペンとを一体化した場合に、構成上大きな比率を占めるルーペの部分を使ってペン芯の進退動作を行わせようとしても、円滑に動作しない問題があるため、このような機構を採用したルーペとペンとの結合体としたものは実現していなかった。また、上記の各特許文献はいずれも筆記具と物入れやカッター等を一体にまとめたものでそれなりに便利なものであるが、両者を結合することによる利点が明確になっていない嫌いがある。このような構成ヲ採用すると、どうしても全長が大きくなってしまい、胸ポケットなどに差し込んで携帯することには不適当になってしまうことは否めない。
【課題を解決するための手段】
【０００５】
上記の課題を解決するために本発明に係る筆記具付き携帯ルーペは、以下の手段を採用することにより以下の作用を生じるようにした。請求項１に記載した発明の筆記具付き携帯ルーペは、筒状体にルーペを内蔵しているルーペ部と、このルーペ部の一端部にルーペ部を延長するように連結してあるペン部とからなる。この発明は上記のルーペ部と上記のペン部とは着脱自在にしてあるとともに、両者の相対回転によりペン部内に収納してあるペン芯を進退可能としてあるところに特徴がある。すなわち本発明はルーペとボールペン等の筆記具とを一体化し、ルーペ部とペン部との相対回転によりペン芯を進退可能としたものである。上記のように、このルーペはペン芯を進退可能な構成としてあるのにも拘わらず、その割り合いには全長を通常の携帯用の筆記具と変わらないものとなっている。この筆記具付き携帯ルーペは、外出先などで細かい文字等を読みとる際にはルーペ部を用いて容易に読み取り可能となるとともに、筆記部によりメモなどの筆記行為が可能となる。また、これをルーペとして使用する際には、ペン部を掴んで対象物を見るようにすると、目標物を見やすくなる利点もある。この筆記具付き携帯ルーペは携帯に便利であり、いつでもどこででも読み書きの２役を演じる便利なものとなる。【０００６】
請求項２に記載した発明は、請求項１に記載した発明を実現するための具体的手段を採用したものである。すなわち、上記のルーペ部の外周には接眼側からルーペを介して対物側に位置する物体を透視可能な窓部が設けてあり、本体軸の他端部にはペン部との連結を可能にする連結筒部が設けてあり、ルーペ部をなす本体軸の一端部に胸ポケット等へ保持可能とするキャップクリップが取り付けてある。また、ペン部には上記のペン芯を保持可能かつ進退可能とする芯ホルダを内蔵している。上記のペン部は上記の芯ホルダを介して連結筒部に着脱自在に連結してあり、この芯ホルダに具備する進退機構はルーペ部とペン部との相対回転によってペン芯を連動可能としてある。この発明は上記のように、ルーペ部とペン部との相対回転によりペン芯を進退可能とする構成を採用してあるところに特徴がある。【０００７】
請求項３に記載した発明は、ペン芯進退機構（Ｍ）について具体化したものである。ペン芯進退機構はペン部の要素であるペン芯を進退させるための駆動伝達機構をなすものである。このペン芯進退機構は、芯ホルダをなす固定部材がペン部をなす先筒に固定され、これも芯ホルダをなす可動部材の外周部が連結筒部の内周部と係合することにより、ルーペ部とペン部との相対回転を可能としてある。このような構成の採用によりルーペ部とペン部との相対回転によりペン芯進退機構が駆動され、これによってペン芯を連動可能としてある。このように、ペン芯進退機構の採用により、ルーペ部とペン部とを連結してなる複合体でありながら、ルーペ部の操作によってペン先を出没可能とし、かつ全長を短縮可能とすることにより携帯に支障のないものとすることが可能となる。
【発明の効果】
【０００８】
本発明によれば、ルーペ部とペン部とが互いに補完し合う状態で連結してあるので、１本で細かい文字等の読み取りと筆記の二役を果たすとともに、携帯に便利な筆記具付き携帯ルーペを提供可能となる。また、ルーペ部とペン部との連結によりペン芯の進退機構を駆動可能としてあるので、ルーペ部とペン部とを相対回転させることによるペン心の進退操作が可能となる。
【発明を実施するための最良の形態】
【０００９】
次に本発明の最良の形態例について図面を参照して説明する。図１は本発明に係る筆記具付きルーペの全体の構成を示す正面図であり、図２〜図１０は筆記具付きルーペの各構成要素を示したものである。本発明に係る筆記具付きルーペは図１に示すように、後述のルーペ５を内蔵しているルーペ部１と後述のペン芯１１を備えたペン部３とを着脱自在に結合した複合体からなる。ペン部３はルーペ部１の一端部に連結されているが、これには先筒１３、先端コーン１５及びペン芯１１（１１ｂ）を含んでいる。ルーペ部１の他端部には、胸ポケット等への差し込み保持を可能にするためのキャップクリップ７が取り付けてある。ルーペ部１は図２に示す後述の本体軸１７が要部をなし、これには上記したように、ルーペ５を内蔵している。本体軸１７の外周部にはこれを覆うようにカバー筒９が設けてあり、本体軸１７とカバー筒９とは相対回転可能となっている。この両者の相対回転により窓部１０，１０を開閉可能としてある。【００１０】
図２は上記の本体軸１７を示している。本体軸１７は、ルーペ部１の中枢をなすものであり、ルーペ５を収納する範囲となる大径筒部１７ａと、この大径筒部の先端部（図２左端部）に延伸するように設けてある連結筒部１７ｂとからなる。大径筒部１７ａの胴部の対向位置には２か所に、人間の両目で覗くのに適する大きさと形状に形成してなる内窓部１７ｃ，１７ｃが設けてある。これにより上記のカバー筒９が存在しない状態においては、ルーペ５を介して一方の側（接眼側）から他方の側（対物側）に位置する物体や文字等を透視可能としてある。本体軸１７の上端部（図２右端部）近傍には、キャップクリップ取付穴１７ｄが大径筒部１７ａの対向位置の２か所にそれぞれ設けてある。キャップクリップ７は、図示していない２本の脚部（係合片）が上記のキャップクリップ取付穴１７ｄ、１７ｄに係合して、図１に示す状態に本体軸１７に離脱不能に取り付け可能としてある。また、図１（ｂ）に示すように、大径筒部１７ａの内周部の対向位置にはルーペ装着用のガイド溝１７ｅ，１７ｅが設けてある。上記の連結筒部１７ｂは大径筒部１７ａよりも小径の筒状体からなり、長さは直径のほぼ２倍となっており、端部は後述の芯ホルダ１９と係合可能とするために開口している。連結筒部１７ｂの大径筒部寄りの所定長範囲にはおねじ部１７ｆが刻設してある。このおねじ部１７ｆは、同図（ｃ）に示すように、大径筒部１７ａにカバー筒９を挿着した状態において後述のサポート部材１９を連結筒部１７ｂに挿着し、ねじ対遇を利用してカバー筒９を支持することにより、連結筒部１７ｂからカバー筒９の脱落防止を図るようにしたものである。【００１１】
図３は上記のカバー筒９を示したものである。カバー筒９はアルミニユーム薄管からなる胴部９ａの一端部（図３右端部）を開口とし、他端部を絞って先端部を欠落させた円錐状に形成したものからなる。カバー筒４の胴部の対向位置には、それぞれ上記の内窓部１７ｃ、１７ｃと対応する外窓部９ｃ，９ｃが設けてある。カバー筒９はアルマイト処理等により黄色や青色などの選択された着色を施すことにより、色彩上の変化を持たせるようにしてある。なお、カバー筒９の材質はアルミニュームに限定する趣旨ではなく、例えばＡＢＳ樹脂など各種のプラスチック成形品であってもよい。【００１２】
図４は成形した透明アクリル材からなるルーペ５を示している。図示してあるように、ルーペ５は長さ方向の中央部５ａを薄くし、各端部に近づくほど厚みを増すことにより凸レンズの働きをするようにしてある。ルーペ５の両側部には全長にわたって本体軸１７へ装着するためのガイドレール５ｂ，５ｂが形成してある。ルーペ５の一端部はキャップクリップ７の胴部を本体軸１７内に挿着可能にする余裕を与えるための小幅部となっており、他端部には装着時における位置決めとなる安定部５ｄが形成してある。【００１３】
図５はペン芯１１を示している。ペン芯１１は図示してあるように、公知のボールペンと同様に金属製のインク貯留部１１ａの先端部（図面左端部）に先端チップ１１ｂが設けてある。ペン芯１１の基端部側はつまみ部１１ｃの中心軸に設けられた孔部に圧入してある。つまみ部１１ｃのインク貯留部１１ａ側には段差が設けてあり、この段差により直径が小さくなっている部分におねじ部１１ｄが設けてある。このおねじ部１１ｄは後述の芯ホルダ１９のめねじ部１９ｅにねじ込み可能としてある。同図（ｂ）に示すように、つまみ部１１ｃの外端部には、ねじ回し用の十字孔１１ｅが設けてあり、上記の芯ホルダ１９への着脱の際におけるねじ込み操作を可能としてある。【００１４】
図６は芯ホルダ１９を示している。芯ホルダ１９はペン部３内において、後述のペン芯進退機構を介して上記のペン芯１１を保持しかつ進退可能とする働きをする。図６に示すように、芯ホルダ１９の外観は円柱状に見える形状となっているが、円柱体の約８０％は金属薄管の円筒部材１９ａで覆われており、残りの約２０％の部分は樹脂材製の固定部材１９ｂが露出した部分となっている。固定部材１９ｂの露出した部分は円筒部材１９ａよりもわずかに大きな直径にしてある。固定部材１９ｂは円筒部材１９ａで囲まれている範囲は、外周部が円筒部材の内周部に密着しており、図示していないストッパ手段によって相互に進退不能となっているが、互いに相対回転可能となっている。固定部材１９ｂの外端部から所定長の範囲は、比較的厚肉となっており、中心の空洞部はペン芯のインク貯留部１１ａを保持可能な内径の挿通孔となっている。そして全長の約半分の範囲は、肉厚が上記の厚肉となっている範囲の約半分となっており、後述の可動部材１９ｄを内周部に嵌合して両者を相対移動可能としてある。【００１５】
上記の可動部材１９ｄは円筒部材１９ａの他端部（図６右端部）から円筒部材の約半径に相当する長さだけ奥に入りこんだ位置に一端部が位置し、そこからさらに奥に向かって延び、固定部材１９ｂの内周面に嵌合している。可動部材１９ｄも固定部材１９ｂと同じく円筒状になっており、円筒部材１９ａの内周部に摺動可能に挿着してある。可動部材１９ｄの外端部から内部に向かう所定長の範囲には、めねじ部１９ｅが刻設してある。このめねじ部１９ｅは、上記のペン芯１１のおねじ部１１ｄをねじ込み可能とするもので、これによりペン芯１１を支持可能としてある。固定部材１９ｂと可動部材１９ｄとは互いに摺動可能であるとともに、可動部材１９ｄは円筒部材１９ａに対しても摺動可能となっている上に、めねじ部及び後述の突起１９ｇは筆圧を支える構成となっている。このような負担に耐え得るための構成材としては、例えばフッ素樹脂材などの摩擦係数が小さくかつ強度の大きい材質を選択することが望まれる。円筒部材１９ａの外周部には一端部から所定長の範囲に長溝状の凹部１９ｉ，…が形成してある。各凹部１９ｉは内側の可動部材１９ｄの外周部にもその範囲で凹凸の変形状態を及ぼし、円筒部材１９ａと可動部材１９ｄとは互いに進退可能である反面において相対回転不能としてある。【００１６】
図７は芯ホルダ１９を展開してペン芯進退機構Ｍの構成を分かりやすく示したものである。ペン芯進退機構Ｍは上述の通り、連結筒部１７ｂにより芯ホルダ１９の円筒部材１９ａを回転させることによりペン心を進退させるための機構である。このペン芯進退機構Ｍは、上述の固定部材１９ｂの薄肉になっている範囲に形成してあるらせん溝１９ｆと、可動部材１９ｄの外周部に設けてある突起１９ｇと、円筒部材１９ａと固定部材１９ｂ及び可動部材１９ｄを含んだものからなる。らせん溝１９ｆと突起１９ｇとはカムとカムフォロワーとの関係にあるカム機構を構成している。固定部材１９ｂを固定した状態で円筒部材１９ａを回転させると、可動部材１９ｄもこれと一体となって回転する。この時、突起１９ｇはカム機構によりらせん溝１９ｆに沿った往復運動をするため、これと一体の可動部材１９ｄも上記のカム機構により往復運動をする。しかし、円筒部材１９ａは、固定部材１９ｂに対して図示していないストッパ手段によって往復移動不能としてあるので、可動部材１９ｄは円筒部材１９ａに対しても相対往復運動をすることになる。らせん溝１９ｆの両端部には、ペン芯１１を安定状態に保持可能とするための凹部１９ｈ、１９ｈが設けてある。また、可動部材１９ｄの往復移動の範囲は相対移動範囲に設けてある空間１９ｃ，１９ｃによって保障されている。図７（ａ）における長方形の横幅は芯ホルダ１９の内周の長さを示しており、らせん溝１９ｆは横幅のほぼ４分の３にわたってらせん状に設けてあることから、ペン芯は先端チップ１１ｂ（図５参照）がペン部の先端から突出して筆記可能状態にあるときに、円筒部材１９ａを左回転させると、突起１９ｇが図７の上方に位置する凹部１９ｈに係合し、先端チップ１１ｂが完全に先端コーン１５内に没した状態で停止する。また、この状態から逆方向に４分の３回転させると、突起１９が下方に位置する凹部１９ｈに係合することによって停止して再び筆記可能状態となる。【００１７】
図８はペン部３の要部をなす先筒１３を示している。図示してあるように、先筒１３はテーパ状のホルダ収納部１３ａの先端部に後述の先端コーン１５の取付部１３ｂが延設してある。この取付部１３ｂの中心部にはペン芯１１の挿通孔１３ｃが設けてある。挿通孔１３ｃの奥に形成してある逆円錐部のさらにその奥には、内周面をストレートに形成してなる圧入部１３ｄが設けてある。圧入部１３ｄは芯ホルダ１９の固定部材１９ｂを圧入して保持することにより、芯ホルダ１９を本体軸１７によって操作可能としてある。すなわち、上述した本体軸１７の連結筒部１７ｂの内周部が芯ホルダ１９の円筒部材１９ａに嵌合し、摩擦力によって両者が一体になって回転可能となる。この状態において、本体軸１７に対して先筒１３を相対回転させると、ペン芯進退機構Ｍによりペン芯１１が進退可能となっている。【００１８】
図９はペン部３の先端部をなす先端コーン１５を示している。先端コーン１５は金属を頂部切欠の円錐形に加工し、表面にクロームメッキ等を施したものからなる。図示してあるように、先端コーン１５をなす円錐体１５ａの内部には、先筒１３の取付部１３ｂを圧入するための平行孔部１５ｂが形成してある。平行孔部１５ｂから先の部分は円錐体１５ａの径の変化に対応して段階的に細くしてあり、最先端部及びその近傍はペン芯１１が振れ無しに出没可能とするのに適した径の先端孔部１５ｃとしてある。【００１９】
図１０は上述のサポート部材２１を示している。サポート部材２１は薄肉円筒体からなり、外周部２１ａは先端部（図面左端部）を僅かに細くするテーパにしてある。内周部には基端部から長さの約半分の位置までめねじ２１ｂが刻設してある。このめねじ２１ｂは図２に示すように、本体軸１７の連結筒部１７ｂに刻設してあるおねじ部１７ｆと螺合可能なものである。このサポート部材２１は図２（ｃ）に示すように、連結筒部１７ｂに嵌入することによりカバー筒９を本体軸１７から脱落不能とする役割を果たす。【００２０】
次に組立要領について説明する。まずルーペ部１は、第１工程として本体軸１７のガイド溝１７ｅ，１７ｅに沿ってルーペ５を挿着する（図２参照）。次に第２工程として本体軸１７の開口端部にキャップクリップ７を被せ、１対の係合片を取付孔１７ｄ，１７ｄに係合させることにより連結筒部１７ｂから脱落不能とする。次に第３工程としてカバー筒９を本体軸１７に挿着し、サポート部材２１で押さえ付けて脱落不能とする。次にルーペ部１の組立作業と平行してペン部３の組立作業を行う。ペン部３はまず、第４工程として先筒１３の先端部に先端コーン１５を圧入する（図９参照）。この工程と前後する第５工程として芯ホルダ１９の固定部材１９ｂを先筒１３の圧入部１３ｄに圧入する（図８参照）。次に第６工程としてペン芯１１を芯ホルダ１９の端部から挿入してねじ部（１１ｄ，１９ｅ）を用いて固定する。最後に第７工程としてペン部３をルーペ部１に連結することにより図１に示す筆記具付き携帯ルーペができあがる。この時、本体軸１７の連結筒部１７ｂと芯ホルダ１９の円筒部材１９ａとが係合しているため、ペン芯進退機構Ｍが作動可能状態となる。なお、ペン芯１１は複数のスペアを用意しておき、インクがなくなったときには容易に交換可能となっているので損耗の少ないルーペ部を半永久的に使用することが可能となる。【００２１】
次に使用方法について説明する。このペン付きルーペはかばん等に入れて持ち歩いてもよいが、通常は胸ポケット等に差し込んで携帯することが向いている。ルーペの不使用時にはカバー筒９で窓部１０を覆い、ルーペを保護するように心懸ける。ルーペの使用時にはカバー筒９とキャップクリップ７とを９０度だけ相対回転させることにより窓部１０を開け、両窓部から両目を使って対象物を透視すればよい。ペンを使用して筆記する場合には、片方の手で先筒１３を押さえ、他方の手でルーペ部１をキャップクリップ７ごとつまむように握って停止するまで回転させると、ペン芯１１の先端チップ１１ｂが先端コーン１５の先端部から出没して所定位置で停止する。ペンの不使用時にはインクの付着を防止するために、先端チップは先端コーン１５内に退避させておく。【００２２】
以上の説明においては、ルーペ部の窓部は２つとしてあるが、これらの窓部を合併して１つにしてもよく、ルーペも強さを弱・中・強など幾通りかのものを選択可能としてもよい。また、カバー筒は上記のものに限定されるものではなく、一端部をヒンジ固定により開脚自在とし、あるいは本体軸とカバー筒とを長さ方向に相対移動可能とするスライド式にしてもよい。
【産業上の利用可能性】
【００２３】
本発明は物の発明であり、これを製造し、販売することは産業上利用することであるので、産業上の利用可能性を十分に有する。
【図面の簡単な説明】
【００２４】
【図１】一形態例の全体の構成を示す正面図である。
【図２】本体軸を示しており、（ａ）は正面図、（ｂ）は側面図、（ｃ）は平面図である。
【図３】カバー筒の正面の一部切欠断面図である。
【図４】ルーペを示しており、（ａ）は平面図、（ｂ）は正面図である。
【図５】ペン芯を拡大して示しており、（ａ）は正面図、（ｂ）は側面図である。
【図６】芯ホルダの構成を拡大して示しており、（ａ）は正面の半断面図、（ｂ）は側面図である。
【図７】芯ホルダ（ペン芯進退機構）を拡大して示しており、（ａ）は展開図、（ｂ）は同図（ａ）のＡ−Ａ線断面図である。
【図８】先筒を拡大して示しており、（ａ）は正面の断面図、（ｂ）は側面図である。
【図９】先端コーンの正面の拡大断面図である。
【図１０】サポート部材を拡大して示しており、（ａ）は正面の断面図、（ｂ）は側面図である。
【図１１】従来技術のペン型ルーペを示す正面図である。
【符号の説明】
【００２５】
１                    ルーペ部
３                    ペン部
５                    ルーペ
７                    キャップクリップ
９                    カバー筒
１０（９ｃ、１７ｃ）  窓部
１１                  ペン芯
１３                  先筒
１５                  先端コーン
１７                  本体軸
１７ｂ                連結筒部
１９                  芯ホルダ
１９ａ                円筒部材
１９ｂ                固定部材
１９ｄ                可動部材
１９ｆ                らせん溝
１９ｇ                突起
１９ｈ                凹部
２１                  サポート部材
Ｍ                    ペン芯進退機構
【図１】
2006085368.tif 000002
【図２】
2006085368.tif 000003
【図３】
2006085368.tif 000004
【図４】
2006085368.tif 000005
【図５】
2006085368.tif 000006
【図６】
2006085368.tif 000007
【図７】
2006085368.tif 000008
【図８】
2006085368.tif 000009
【図９】
2006085368.tif 000010
【図１０】
2006085368.tif 000011
【図１１】
2006085368.tif 000012
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
長手方向に沿ってルーペを設けてある本体軸（１７）の内窓部（１７ｃ）を開閉自在とするカバー筒（９）を設け、該カバー筒の一端部にキャップクリップ（７）を設けてあるルーペ部（１）と、上記本体軸の他端部に連結してあるとともに、ペン芯（１１ｂ）を進退可能に設けてあるペン部（３）とを備えた筆記具付き携帯ルーペにおいて、
上記ペン芯の進退動作は上記ペン芯を着脱可能に挿着してある芯ホルダ（１９）に内蔵しているペン芯進退機構（Ｍ）によって行われ、
上記ペン芯進退機構は上記ペン部をなす先筒（１３）の内部に圧入してある芯ホルダ（１９）に内蔵しており、
上記芯ホルダは円柱体の外周部を覆うように形成してなる円筒部材（１９ａ）と、該円筒部材の内周部に位置し、一部が該円筒部材の他端部から露出するように形成してなる固定部材（１９ｂ）と、該固定部材の一端部側と上記円筒部材の一端部側にまたがる範囲に摺動可能に嵌合してある円筒状の可動部材（１９ｄ）とからなり、
上記固定部材には長手方向に沿ったらせん溝（１９ｆ）が設けてあり、上記可動部材には上記らせん溝に係合する突起（１９ｇ）が設けてあり、
上記固定部材と上記円筒部材とを相対回転させることにより上記ペン芯を挿着してある可動部材の進退運動を可能としてある
ことを特徴とする筆記具付き携帯ルーペ。
【請求項２】
上記芯ホルダ（１９）をなす上記固定部材（１９ｂ）を上記ペン部をなす先筒（１３）の先端部近傍の内部に形成してある圧入部（１３ｄ）に圧入し、上記円筒部材（１９ａ）に上記本体軸（１７）の他端部側に位置する連結筒部（１７ｄ）を圧入することにより、上記本体軸と上記円筒部材とが一体回転可能としてあることを特徴とする請求項１に記載した筆記具付き携帯ルーペ。
【手続補正２】
【補正対象書類名】明細書
【補正対象項目名】全文
【補正方法】変更
【補正の内容】
【発明の詳細な説明】
【技術分野】
【０００１】
本発明はペン型の携帯用ルーペにボールペン等の筆記具を結合してなる筆記具付きルーペに関するものである。
【背景技術】
【０００２】
仕事や買い物など外出先で細かい文字等を視力によって識別する場合には、中・高齢者の大部分の人たちは老眼鏡又は拡大鏡（以下「ルーペ」という）を使用する必要に迫られることが多い。しかしながら通常用いられている老眼鏡やルーペは、形状や大きさの面から携帯に不便であることから結局裸眼で識別しなければならないことが多い。これに対しては図１１に示すような万年筆に似たいわゆるペン型ルーペが市販されている。このペン型ルーペ７１は軸部にルーペ７３を内蔵しており、軸部の一端部にはキャップクリップ７５が取り付けてある。外出時には万年筆等の筆記具と同様にキャップクリップ７５を用いて胸ポケット等に差し込んで携帯すればよい。このペン型ルーペを使用する際にはキャップクリップ７５と外ケース７７とを相対回転させることにより窓部７９を開閉操作してルーペを使用可能状態にして両目で目標物を正確に識別可能となっている。一方万年筆を初めとする各種の筆記具は、胸ポケット等に差し込んで携帯に便利なものとしたものが古くから広く採用されていることは周知の通りである。最近では特にボールペンやシャープペンシルの普及は著しくこれに各種の機能を付加したものが多数提案されている。例えばボールペンの軸部の約半分を物入れとしての機能を有するようにしたもの（特許文献１）や、ボールペンのキャップにカッターを設け、さらにそのカッターを第２のキャップで覆うようにしたもの（特許文献２）等多数が提案されている。
【０００３】
【特許文献１】実開平０５−０１８８６号公報
【特許文献１】実開平０５−０４１８８４号公報
【発明の開示】
【発明が解決しようとする課題】
【０００４】
上記のペン型ルーペは、普通の万年筆等の筆記具と同様に胸ポケット等に差し込んで携帯することを予定しているものである。しかしながら、筆記具を必要とする場合が多いことからルーペと筆記具を同時に胸ポケットに差し込んで携帯する必要が生じることもある。胸ポケットに同時に２本のペン等を差すことに対しては、外見上気にする人もいる上に胸ポケットの負担を重くしているという難点もある。このような問題に対してはペン型ルーペと筆記具とを１本にまとめてしまえば問題は解決するのであるが、全体の長さが長くなってしまうことから胸ポケットに差し込むのに適さない欠点がある。また、ルーペとペンとを一体化した場合に、構成上大きな比率を占めるルーペの部分を使ってペン芯の進退動作を行わせようとしても、円滑に動作しない問題があるため、このような機構を採用したルーペとペンとの結合体としたものは実現していなかった。また、上記の各特許文献はいずれも筆記具と物入れやカッター等を一体にまとめたものでそれなりに便利なものであるが、両者を結合することによる利点が明確になっていない嫌いがある。このような構成を採用すると、どうしても全長が大きくなってしまい、胸ポケットなどに差し込んで携帯することには不適当になってしまうことは否めない。
【課題を解決するための手段】
【０００５】
上記の課題を解決するために本発明に係る筆記具付き携帯ルーペは、長手方向に沿ってルーペを設けてある本体軸の内窓部を開閉自在とするカバー筒を設け、このカバー筒の一端部にキャップクリップを設けてあるルーペ部と、上記本体軸の他端部に連結してあるとともに、ペン芯を進退可能に設けてあるペン部とを備えた筆記具付き携帯ルーペにおいて、以下の手段を採用することにより以下の作用効果を生じるようにした。上記のペン芯の進退動作は、ペン芯を着脱可能に挿着してある芯ホルダに内蔵しているペン芯進退機構によって行われるようにしてある。このペン芯進退機構は、上記のペン部をなす先筒の内部に圧入してある芯ホルダに内蔵されており、芯ホルダは円柱体の外周部を覆うように形成してなる円筒部材と、この円筒部材の内周部に位置し、一部が該円筒部材の他端部から露出するように形成してなる固定部材と、この固定部材の一端部側と円筒部材の一端部側にまたがる範囲に摺動可能に嵌合してある円筒状の可動部材とを含むものからなる。上記の固定部材には長手方向に沿ったらせん溝が設けてあり、上記の可動部材には上記らせん溝に係合する突起が設けてあることにより、固定部材と円筒部材とを相対回転させることにより、ペン芯を挿着してある可動部材の進退運動を可能としてある。
【０００６】
上記構成において、ペン部を保持した状態で、ルーペ部を回転させると、ペン芯進退機構を内蔵する芯ホルダの固定部材がペン部の先筒の内部で固定された状態で、芯ホルダの円筒部材を回転させるため、円筒部材と固定部材が相対回転し、ペン芯を保持した可動部材がカム機構により進退動作する。
【０００７】
請求項２に記載した発明は、請求項１に記載した発明を筆記具付き携帯ルーペとしてさらに具体化したものである。すなわち、上記の芯ホルダをなす固定部材を上記のペン部をなす先筒の先端部近傍の内部に形成してある圧入部に圧入し、上記の円筒部材に上記の本体軸（１７）の他端部側に位置する連結筒部を圧入することにより、本体軸と円筒部材とが一体回転可能としてあるところに特徴がある。この発明は、ルーペ部とペン部との連結構造を具体的にしたものであり、ペン部を保持した状態でルーペ部を回すとペン芯が進退動作する機構を採用したものである。
【発明の効果】
【０００８】
本発明によれば、ルーペ部とペン部とが互いに補完し合う状態で連結してあるので、これ１本で細かい文字等の読み取りと筆記の二役を果たすとともに、携帯に便利な筆記具付き携帯ルーペを提供可能となる。また、ルーペ部とペン部との連結によりペン芯進退機構を駆動可能としてあるので、ルーペ部とペン部とを相対回転させることによるペン芯の進退操作が可能となる。
【発明を実施するための最良の形態】
【０００９】
次に本発明の最良の形態例について図面を参照して説明する。図１は本発明に係る筆記具付きルーペの全体の構成を示す正面図であり、図２〜図１０は筆記具付きルーペの各構成要素を示したものである。本発明に係る筆記具付きルーペは、図１に示すように、後述のルーペ５を内蔵しているルーペ部１と後述のペン芯１１を備えたペン部３とを着脱自在に結合した複合体からなる。ペン部３はルーペ部１の一端部に連結されているが、これには先筒１３、先端コーン１５及びペン芯１１（１１ｂ）を含んでいる。ルーペ部１の他端部には、胸ポケット等への差し込み保持を可能にするためのキャップクリップ７が取り付けてある。ルーペ部１は図２に示す後述の本体軸１７が要部をなし、これには上記したように、ルーペ５を内蔵している。本体軸１７の外周部にはこれを覆うようにカバー筒９が設けてあり、本体軸１７とカバー筒９とは相対回転可能となっている。この両者の相対回転により窓部１０，１０を開閉可能としてある。
【００１０】
図２は上記の本体軸１７を示している。本体軸１７は、ルーペ部１の中枢をなすものであり、ルーペ５を収納する範囲となる大径筒部１７ａと、この大径筒部の先端部（図２左端部）に延伸するように設けてある連結筒部１７ｂとからなる。大径筒部１７ａの胴部の対向位置には２か所に、人間の両目で覗くのに適する大きさと形状に形成してなる内窓部１７ｃ，１７ｃが設けてある。これにより上記のカバー筒９が存在しない状態においては、ルーペ５を介して一方の側（接眼側）から他方の側（対物側）に位置する物体や文字等を透視可能としてある。本体軸１７の上端部（図２右端部）近傍には、キャップクリップ取付穴１７ｄが大径筒部１７ａの対向位置の２か所にそれぞれ設けてある。キャップクリップ７は、図示していない２本の脚部（係合片）が上記のキャップクリップ取付け穴１７ｄ、１７ｄに係合して、図１に示す状態に、本体軸１７に離脱不能に取り付け可能としてある。また、図２（ｂ）に示すように、大径筒部１７ａの内周部の対向位置にはルーペ装着用のガイド溝１７ｅ，１７ｅが設けてある。上記の連結筒部１７ｂは大径筒部１７ａよりも小径の筒状体からなり、長さは直径のほぼ２倍となっており、端部は後述の芯ホルダ１９と係合可能とするために開口している。連結筒部１７ｂの大径筒部寄りの所定長範囲にはおねじ部１７ｆが刻設してある。このおねじ部１７ｆは、同図（ｃ）に示すように、大径筒部１７ａにカバー筒９を挿着した状態において後述のサポート部材２１を連結筒部１７ｂに挿着し、ねじ対遇を利用してカバー筒９を支持することにより、連結筒部１７ｂからカバー筒９の脱落防止を図るようにしたものである。
【００１１】
図３は上記のカバー筒９を示したものである。カバー筒９はアルミニユーム薄管からなる胴部９ａの一端部（図３（ａ）右端部）を開口とし、他端部を絞って先端部を欠落させた円錐状に形成したものからなる。カバー筒９の胴部の対向位置には、それぞれ上記の内窓部１７ｃ、１７ｃと対応する外窓部９ｃ，９ｃが設けてある。カバー筒９はアルマイト処理等により黄色や青色などの選択された着色を施すことにより、色彩上の変化を持たせるようにしてある。なお、カバー筒９の材質はアルミニュームに限定する趣旨ではなく、例えばＡＢＳ樹脂など各種のプラスチック成形品であってもよい。
【００１２】
図４は成形した透明アクリル材からなるルーペ５を示している。図示してあるように、ルーペ５は長さ方向の中央部５ａを薄くし、各端部に近づくほど厚みを増すことにより凸レンズの働きをするようにしてある。ルーペ５の両側部には全長にわたって本体軸１７へ装着するためのガイドレール５ｂ，５ｂが形成してある。ルーペ５の一端部はキャップクリップ７の胴部を本体軸１７内に挿着可能にする余裕を与えるための小幅部となっており、他端部には装着時における位置決めとなる安定部５ｄが形成してある。
【００１３】
図５はペン芯１１を示している。ペン芯１１は図示してあるように、公知のボールペンと同様に金属製のインク貯留部１１ａの先端部（図面左端部）に先端チップ１１ｂが設けてある。ペン芯１１の基端部側はつまみ部１１ｃの中心軸に設けられた孔部に圧入してある。つまみ部１１ｃのインク貯留部１１ａ側には段差が設けてあり、この段差により直径が小さくなっている部分におねじ部１１ｄが設けてある。このおねじ部１１ｄは後述の芯ホルダ１９のめねじ部１９ｅにねじ込み可能としてある。同図（ｂ）に示すように、つまみ部１１ｃの外端部には、ねじ回し用の十字孔１１ｅが設けてあり、上記の芯ホルダ１９への着脱の際におけるねじ込み操作を可能としてある。
【００１４】
図６は芯ホルダ１９を示している。芯ホルダ１９はペン部３内において、後述のペン芯進退機構を介して上記のペン芯１１を保持しかつ進退可能とする働きをする。図６に示すように、芯ホルダ１９の外観は円柱状に見える形状となっているが、円柱体の約８０％は金属薄管の円筒部材１９ａで覆われており、残りの約２０％の部分は樹脂材製の固定部材１９ｂが露出した部分となっている。固定部材１９ｂの露出した部分は円筒部材１９ａよりもわずかに大きな直径にしてある。固定部材１９ｂは円筒部材１９ａで囲まれている範囲は、外周部が円筒部材の内周部に密着しており、図示していないストッパ手段によって相互に進退不能となっているが、互いに相対回転可能となっている。固定部材１９ｂの外端部から所定長の範囲は、比較的厚肉となっており、中心の空洞部はペン芯のインク貯留部１１ａを保持可能な内径の挿通孔となっている。そして全長の約半分の範囲は、肉厚が上記の厚肉となっている範囲の約半分となっており、後述の可動部材１９ｄを内周部に嵌合して両者を相対移動可能としてある。
【００１５】
上記の可動部材１９ｄは、円筒部材１９ａの他端部（図６右端部）から円筒部材の約半径に相当する長さだけ奥に入りこんだ位置に一端部が位置し、そこからさらに奥に向かって延び、固定部材１９ｂの内周面に嵌合している。可動部材１９ｄも固定部材１９ｂと同じく円筒状になっており、円筒部材１９ａの内周部に摺動可能に挿着してある。可動部材１９ｄの外端部から内部に向かう所定長の範囲には、めねじ部１９ｅが刻設してある。このめねじ部１９ｅは、上記のペン芯１１のおねじ部１１ｄをねじ込み可能とするもので、これによりペン芯１１を支持可能としてある。固定部材１９ｂと可動部材１９ｄとは互いに摺動可能であるとともに、可動部材１９ｄは円筒部材１９ａに対しても摺動可能となっている上に、めねじ部１９ｅ及び後述の突起１９ｇは筆圧を支える構成となっている。このような負担に耐え得るための構成材としては、例えばフッ素樹脂材などの摩擦係数が小さくかつ強度の大きい材質を選択することが望まれる。円筒部材１９ａの外周部には一端部から所定長の範囲に長溝状の凹部１９ｉ，…が形成してある（図６参照）。各凹部１９ｉは内側の可動部材１９ｄの外周部にもその範囲で凹凸の変形状態を及ぼし、円筒部材１９ａと可動部材１９ｄとは互いに進退可能である反面において相対回転不能としてある。
【００１６】
図７は芯ホルダ１９を展開してペン芯進退機構Ｍの構成を分かりやすく示したものである。ペン芯進退機構Ｍは上述の通り、連結筒部１７ｂにより芯ホルダ１９の円筒部材１９ａを回転させることによりペン芯を進退させるための機構である。このペン芯進退機構Ｍは、上述の固定部材１９ｂの薄肉になっている範囲に形成してあるらせん溝１９ｆと、可動部材１９ｄの外周部に設けてある突起１９ｇと、円筒部材１９ａと固定部材１９ｂ及び可動部材１９ｄを含んだものからなる。らせん溝１９ｆと突起１９ｇとはカムとカムフォロワーとの関係にあるカム機構を構成している。固定部材１９ｂを固定した状態で円筒部材１９ａを回転させると、可動部材１９ｄもこれと一体となって回転する。この時、突起１９ｇはカム機構によりらせん溝１９ｆに沿った往復運動をするため、これと一体の可動部材１９ｄも上記のカム機構により往復運動をする。しかし、円筒部材１９ａは、固定部材１９ｂに対して図示していないストッパ手段によって往復移動不能としてあるので、可動部材１９ｄは円筒部材１９ａに対しても相対往復運動をすることになる。らせん溝１９ｆの両端部には、ペン芯１１を安定状態に保持可能とするための凹部１９ｈ、１９ｈが設けてある。また、可動部材１９ｄの往復移動の範囲は相対移動範囲に設けてある空間１９ｃ，１９ｃによって保障されている。図７（ａ）における長方形の横幅は芯ホルダ１９の内周の長さを示しており、らせん溝１９ｆは横幅のほぼ４分の３にわたってらせん状に設けてあることから、ペン芯は先端チップ１１ｂ（図５参照）がペン部の先端から突出して筆記可能状態にあるときに、円筒部材１９ａを左回転させると、突起１９ｇが図７の上方に位置する凹部１９ｈに係合し、先端チップ１１ｂが完全に先端コーン１５内に没した状態で停止する。また、この状態から逆方向に４分の３回転させると、突起１９が下方に位置する凹部１９ｈに係合することによって停止して再び筆記可能状態となる。
【００１７】
図８はペン部３の要部をなす先筒１３を示している。図示してあるように、先筒１３はテーパ状のホルダ収納部１３ａの先端部に後述の先端コーン１５の取付け部１３ｂが延設してある。この取付け部１３ｂの中心部にはペン芯１１の挿通孔１３ｃが設けてある。挿通孔１３ｃの奥に形成してある逆円錐部のさらにその奥には、内周面をストレートに形成してなる圧入部１３ｄが設けてある。圧入部１３ｄは芯ホルダ１９の固定部材１９ｂを圧入して保持することにより、芯ホルダ１９を本体軸１７によって操作可能としてある。すなわち、上述した本体軸１７の連結筒部１７ｂの内周部が芯ホルダ１９の円筒部材１９ａに嵌合し、摩擦力によって両者が一体になって回転可能となる。この状態において、本体軸１７に対して先筒１３を相対回転させると、ペン芯進退機構Ｍによりペン芯１１が進退可能となっている。
【００１８】
図９はペン部３の先端部をなす先端コーン１５を示している。先端コーン１５は金属を頂部切欠の円錐形に加工し、表面にクロームメッキ等を施したものからなる。図示してあるように、先端コーン１５をなす円錐体１５ａの内部には、先筒１３の取付け部１３ｂを圧入するための平行孔部１５ｂが形成してある。平行孔部１５ｂから先の部分は円錐体１５ａの径の変化に対応して段階的に細くしてあり、最先端部及びその近傍はペン芯１１が振れ無しに出没可能とするのに適した径の先端孔部１５ｃとしてある。
【００１９】
図１０は上述のサポート部材２１を示している。サポート部材２１は薄肉円筒体からなり、外周部２１ａは先端部（図面左端部）を僅かに細くするテーパにしてある。内周部には基端部から長さの約半分の位置までめねじ２１ｂが刻設してある。このめねじ２１ｂは図２に示すように、本体軸１７の連結筒部１７ｂに刻設してあるおねじ部１７ｆと螺合可能なものである。このサポート部材２１は図２（ｃ）に示すように、連結筒部１７ｂに嵌入することによりカバー筒９を本体軸１７から脱落不能とする役割を果たす。
【００２０】
次に組立要領について説明する。まずルーペ部１は、第１工程として本体軸１７のガイド溝１７ｅ，１７ｅに沿ってルーペ５を挿着する（図２参照）。次に第２工程として本体軸１７の開口端部にキャップクリップ７を被せ、１対の係合片を取付孔１７ｄ，１７ｄに係合させることにより、本体軸１７の連結筒部１７ｂから脱落不能とする。次に第３工程としてカバー筒９を本体軸１７に挿着し、サポート部材２１で押さえ付けて脱落不能とする。次にルーペ部１の組立作業と平行してペン部３の組立作業を行う。ペン部３はまず、第４工程として先筒１３の先端部に先端コーン１５を圧入する（図９参照）。この工程と前後する第５工程として芯ホルダ１９の固定部材１９ｂを先筒１３の圧入部１３ｄに圧入する（図８参照）。次に第６工程としてペン芯１１を芯ホルダ１９の端部から挿入してねじ部（１１ｄ，１９ｅ）を用いて固定する。最後に第７工程としてペン部３をルーペ部１に連結することにより図１に示す筆記具付き携帯ルーペができあがる。この時、本体軸１７の連結筒部１７ｂと芯ホルダ１９の円筒部材１９ａとが係合しているため、ペン芯進退機構Ｍが作動可能状態となる。なお、ペン芯１１は複数のスペアを用意しておき、インクがなくなったときには容易に交換可能となっているので損耗の少ないルーペ部を半永久的に使用することが可能となる。
【００２１】
次に使用方法について説明する。このペン付きルーペはかばん等に入れて持ち歩いてもよいが、通常は胸ポケット等に差し込んで携帯することに向いている。ルーペの不使用時にはカバー筒９で窓部１０を覆い、ルーペを保護するように心懸ける。ルーペの使用時にはカバー筒９とキャップクリップ７とを９０度だけ相対回転させることにより窓部１０を開け、両窓部から両目を使って対象物を透視すればよい。ペンを使用して筆記する場合には、片方の手で先筒１３を押さえ、他方の手でルーペ部１をキャップクリップ７ごとつまむように握って停止するまで回転させると、ペン芯１１の先端チップ１１ｂが先端コーン１５の先端部から出没して所定位置で停止する。ペンの不使用時にはインクの付着を防止するために、先端チップは先端コーン１５内に退避させておく。
【００２２】
以上の説明においては、ルーペ部の窓部は２つとしてあるが、これらの窓部を合併して１つにしてもよく、ルーペも強さを弱・中・強など幾通りかのものを選択可能としてもよい。また、カバー筒は上記のものに限定されるものではなく、一端部をヒンジ固定により開脚自在とし、あるいは本体軸とカバー筒とを長さ方向に相対移動可能とするスライド式にしてもよい。
【産業上の利用可能性】
【００２３】
本発明は物の発明であり、これを製造し、販売することは産業上利用することであるので、産業上の利用可能性を十分に有する。
【図面の簡単な説明】
【００２４】
【図１】一形態例の全体の構成を示す正面図である。
【図２】本体軸を示しており、（ａ）は正面図、（ｂ）は側面図、（ｃ）は平面図である。
【図３】カバー筒の正面の一部切欠断面図である。
【図４】ルーペを示しており、（ａ）は平面図、（ｂ）は正面図である。
【図５】ペン芯を拡大して示しており、（ａ）は正面図、（ｂ）は側面図である。
【図６】芯ホルダの構成を拡大して示しており、（ａ）は正面の半断面図、（ｂ）は側面図である。
【図７】芯ホルダ（ペン芯進退機構）を拡大して示しており、（ａ）は展開図、（ｂ）は同図（ａ）のＡ−Ａ線断面図である。
【図８】先筒を拡大して示しており、（ａ）は正面の断面図、（ｂ）は側面図である。
【図９】先端コーンの正面の拡大断面図である。
【図１０】サポート部材を拡大して示しており、（ａ）は正面の断面図、（ｂ）は側面図である。
【図１１】従来技術のペン型ルーペを示す正面図である。
【符号の説明】
【００２５】
１                ルーペ部
３                ペン部
５                ルーペ
７                キャップクリップ
９                カバー筒
９ｃ，１７ｃ      窓部
１１              ペン芯
１３              先筒
１５              先端コーン
１７              本体軸
１７ｂ            連結筒部
１９              芯ホルダ
１９ａ            円筒部材
１９ｂ            固定部材
１９ｄ            可動部材
１９ｆ            らせん溝
１９ｇ            突起
１９ｈ            凹部
２１              サポート部材
Ｍ                ペン芯進退機構
【手続補正３】
【補正対象書類名】図面
【補正対象項目名】図９
【補正方法】変更
【補正の内容】
【図９】
2006085368.tif 000013
【国際調査報告】
2006085368.tif 000014
2006085368.tif 000015
2006085368.tif 000016
2006085368.tif 000017